(57)【要約】【課題】従来とは異なる重量調整用部材の取付構造を備えたゴルフクラブヘッドを提供すること。【解決手段】本ゴルフクラブヘッドは、中空のヘッド本体を有するゴルフクラブヘッドであって、前記ヘッド本体の内側に、磁石である第１部材が固定され、前記ヘッド本体を挟んで前記第１部材と対向する前記ヘッド本体の外側に、前記第１部材の磁力により吸着される第２部材を着脱可能である。【選択図】図２
2019217161.tif 000002
【特許請求の範囲】
【請求項１】
中空のヘッド本体を有するゴルフクラブヘッドであって、
前記ヘッド本体の内側に、磁石である第１部材が固定され、
前記ヘッド本体を挟んで前記第１部材と対向する前記ヘッド本体の外側に、前記第１部材の磁力により吸着される第２部材を着脱可能であるゴルフクラブヘッド。
【請求項２】
前記ヘッド本体の、前記第１部材と前記第２部材とに挟まれる領域は、非磁性物質で形成されている請求項１に記載のゴルフクラブヘッド。
【請求項３】
前記第２部材は、前記第１部材と接触しない請求項１または２に記載のゴルフクラブヘッド。
【請求項４】
前記ヘッド本体は、フェース部を備え、
前記第１部材及び前記第２部材は、前記フェース部と接触しない請求項１乃至３の何れか一項に記載のゴルフクラブヘッド。
【請求項５】
前記第２部材の外面が、前記ヘッド本体の外面と面一であるか、または前記ヘッド本体の外面より窪んだ位置となるように、前記第２部材が前記第１部材に吸着される請求項１乃至４の何れか一項に記載のゴルフクラブヘッド。
【請求項６】
ウッド型である請求項１乃至５の何れか一項に記載のゴルフクラブヘッド。
【請求項７】
前記ヘッド本体の外面の法線方向から視たときの大きさは、前記第２部材の方が前記第１部材よりも大きい請求項１乃至６の何れか一項に記載のゴルフクラブヘッド。
【発明の詳細な説明】
【技術分野】
【０００１】
本発明は、ゴルフクラブヘッドに関する。
【背景技術】
【０００２】
従来、ゴルフクラブヘッドのヘッド本体に重量調整用部材を装着することにより、ヘッド本体の重量配分を調整する方法が知られている。
【０００３】
例えば、ヘッド本体の内側にねじ受け構造を設け、このねじ受け構造にヘッド本体の外側から重量調整用のねじ等を取り付けて、ゴルフクラブヘッドの重量配分を調整する方法が挙げられる。
【０００４】
また、ヘッド本体の外側に磁石を固定し、この磁石に磁力により重量調整用部材を吸着させて、ゴルフクラブヘッドの重量配分を調整する方法が挙げられる。
【先行技術文献】
【特許文献】
【０００５】
【特許文献１】特許第０５３９１６９３号
【特許文献２】特許第０５２８６１３９号
【特許文献３】実開昭６１−０４８７６０号公報
【特許文献４】実公平０３−０４１７２７号公報
【特許文献５】米国特許公開２０１７／０３６１１８５
【発明の概要】
【発明が解決しようとする課題】
【０００６】
本発明は、従来とは異なる重量調整用部材の取付構造を備えたゴルフクラブヘッドを提供することを目的とする。
【課題を解決するための手段】
【０００７】
本ゴルフクラブヘッドは、中空のヘッド本体を有するゴルフクラブヘッドであって、前記ヘッド本体の内側に、磁石である第１部材が固定され、前記ヘッド本体を挟んで前記第１部材と対向する前記ヘッド本体の外側に、前記第１部材の磁力により吸着される第２部材を着脱可能であることを要件とする。
【発明の効果】
【０００８】
開示の技術によれば、従来とは異なる重量調整用部材の取付構造を備えたゴルフクラブヘッドを提供することができる。
【図面の簡単な説明】
【０００９】
【図１】第１の実施の形態に係るゴルフクラブヘッド１を例示する図である。
【図２】第１の実施の形態に係る重量調整用部材の取付構造を例示する図である。
【図３】第１の実施の形態の変形例に係る重量調整用部材の取付位置を例示する図である。
【図４】第２の実施の形態に係る重量調整用部材の取付構造を例示する図である。
【図５】第３の実施の形態に係る重量調整用部材の取付構造を例示する図である。
【図６】第４の実施の形態に係る重量調整用部材の取付構造を例示する図である。
【図７】第５の実施の形態に係る重量調整用部材の取付構造を例示する部分拡大断面図である。
【図８】第６の実施の形態に係る重量調整用部材の取付構造を例示する図である。
【図９】第６の実施の形態の変形例に係る重量調整用部材の取付構造を例示する図である。
【発明を実施するための形態】
【００１０】
以下、図面を参照して、実施の形態の説明を行う。なお、各図面において、同一構成部分には同一符号を付し、重複した説明を省略する場合がある。
【００１１】
〈第１の実施の形態〉
図１は、第１の実施の形態に係るゴルフクラブヘッド１を例示する図であり、図１（ａ）は正面図、図１（ｂ）は底面図、図１（ｃ）は左側面図、図１（ｄ）は右側面図である。
【００１２】
図１では、フェース面１１ｆ側から視た図を正面図としており、ゴルフクラブヘッド１を水平面Ｈ（地面に相当）に基準のライ角θ及び基準のロフト角（図示せず）通りに接地した場合を図示している。なお、Ｊはホゼル部２０の穴の中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１３】
図１に示すゴルフクラブヘッド１は、ウッド型のゴルフクラブヘッドであって、例えばドライバであるが、ユーティリティやフェアウェイウッドであってもよい。ゴルフクラブヘッド１は、例えば、チタン、チタン合金、ステンレス、アルミニウム、アルミニウム合金、鉄系金属、マグネシウム、マグネシウム合金、繊維強化樹脂等を用いて形成することができる。また、ゴルフクラブヘッド１は、複数の部品を接合して組み立ててもよい。以下、ゴルフクラブヘッド１について詳説する。
【００１４】
ゴルフクラブヘッド１は、中空のヘッド本体１０と、ヘッド本体１０に連結されるホゼル部２０とを有する中空構造体である。
【００１５】
ヘッド本体１０は、フェース部１１と、クラウン部１２と、ソール部１３と、サイド部１４とを有する。フェース部１１は、打撃面となるフェース面１１ｆを備えた部分である。なお、フェース部１１は所定の厚みを有しており、フェース面１１ｆはフェース部１１の外面をなしている。クラウン部１２は、ゴルフクラブヘッド１の上部を形成する部分である。ソール部１３は、ゴルフクラブヘッド１の底部を形成する部分である。サイド部１４は、クラウン部１２とソール部１３とを繋ぐ部分である。ホゼル部２０は、シャフトと連結される部分である。
【００１６】
ゴルフクラブヘッド１は、フェース部１１を除く何れかの部分に、以下に示す重量調整用部材の取付構造を備えている。
【００１７】
図２は、第１の実施の形態に係る重量調整用部材の取付構造を例示する図であり、図２（ａ）は底面図、図２（ｂ）は図２（ａ）のＡ−Ａ線に沿う部分拡大断面図である。
【００１８】
図２を参照するに、第１の実施の形態では、ヘッド本体１０のソール部１３のバック側に第１部材３０及び第２部材４０が設けられている。
【００１９】
第１部材３０は磁石であり、図２（ｂ）に示すように、ヘッド本体１０の内面１０ａ側に形成された凹部１０ｃ内に固定されている。第１部材３０は、例えば、接着剤、圧入、かしめ、溶接等の方法によりヘッド本体１０に固定してもよいし、その他の方法によりヘッド本体１０に固定してもよい。第１部材３０の平面形状は、例えば矩形であるが、円形や楕円形等の適宜な形状とすることができる。
【００２０】
第２部材４０は、ヘッド本体１０を挟んで第１部材３０と対向するヘッド本体１０の外面１０ｂに、第１部材３０の磁力により着脱可能な状態で吸着されている。第２部材４０の平面形状は、例えば矩形であるが、円形や楕円形等の適宜な形状とすることができる。
【００２１】
第２部材４０は、ゴルフクラブヘッド１の重量を調整する重量調整用部材である。第２部材４０の重さは、例えば、２ｇ以上２０ｇ以下である。第２部材４０は、複数種類の重さを用意することができる。なお、第２部材４０は、ヘッドの装飾性を高めるための銘板と兼用しても構わない。
【００２２】
ヘッド本体１０の外面１０ｂの法線方向から視たときの大きさは、第２部材４０の方が第１部材３０よりも大きくても小さくても構わないが、第２部材４０の方を大きくすることにより、重量配分の調整範囲を容易に増やすことができる。
【００２３】
なお、第１部材３０と第２部材４０との間にはヘッド本体１０が介在しているため、第２部材４０が第１部材３０と接触することはない。
【００２４】
第１部材３０としては、例えば、サマリウムコバルト磁石やネオジウム磁石等を用いることができる。第２部材４０としては、磁石または磁性体を用いることができる。第２部材４０が磁石である場合は、例えば、サマリウムコバルト磁石やネオジウム磁石等を用いることができる。第２部材４０が磁性体である場合は、例えば、鉄、ニッケル、コバルト等を用いることができる。
【００２５】
ゴルフクラブヘッド１の材料を上に例示したが、少なくともヘッド本体１０の、第１部材３０と第２部材４０とに挟まれる領域は、非磁性物質で形成されている。ヘッド本体１０の全体を非磁性物質で形成してもよい。非磁性物質としては、例えば、アルミニウム、チタン、繊維強化樹脂（例えば、炭素繊維強化プラスチック（ＣＦＲＰ）、ガラス繊維強化プラスチック（ＧＦＲＰ）等）、ポリカーボネート等が挙げられる。
【００２６】
図２の例では、ヘッド本体１０のソール部１３のバック側に第１部材３０及び第２部材４０を配置したが、第１部材３０及び第２部材４０は、ヘッド本体１０においてフェース部１１と接触しない任意の位置に配置することができる。但し、図２（ｂ）の例では、第２部材４０がヘッド本体１０の外面１０ｂから外部に突起しており、ゴルフスイング時にソール部１３と地面が接触することで第２部材４０がヘッド本体１０から外れやすくなってしまうので、第１部材３０及び第２部材４０はソール部１３には配置しないことが好ましい。
【００２７】
ところで、従来のゴルフクラブヘッドでは、例えば、ヘッド本体の内側にねじ受け構造を設け、このねじ受け構造にヘッド本体の外側から交換可能な重量調整用のねじ等を取り付けてゴルフクラブヘッドの重量配分を調整していた。しかし、従来のゴルフクラブヘッドでは、ねじ受け構造の部分に重量が集中してしまい、ヘッド重量調整の幅が十分ではなかった。
【００２８】
これに対し、ゴルフクラブヘッド１では、ヘッド本体１０の内側に磁石である第１部材３０が固定され、ヘッド本体１０を挟んで第１部材３０と対向するヘッド本体１０の外側に、第１部材３０の磁力により吸着される第２部材４０を着脱可能に配置可能である。
【００２９】
そのため、ゴルフクラブヘッド１では、従来のゴルフクラブヘッドにおけるねじ受け構造のような重量が集中する構造をヘッド本体１０の内側に設ける必要がない。また、第１部材３０はねじ受け構造よりも軽量化することが可能である。その結果、ねじ受け構造の重量に相当する重量を他の場所に自由に配分することが可能となり、ゴルフクラブヘッドの重量配分を容易に調整することができる。
【００３０】
また、ゴルフクラブヘッド１では、ヘッド本体１０の内側に磁石を固定している。これにより、ヘッド本体の外側に磁石を固定する構造に比べて、ゴルフスイング中にダフりが発生した場合に第１部材３０が地面と直接接触した際の衝撃、並びに第２部材４０を介して地面と接触した際の衝撃によって第１部材３０がヘッド本体から外れてしまうのを防ぐ効果が有る。すなわち、ゴルフクラブヘッド１では、第１部材３０と第２部材４０とが非接触であり、かつ第１部材３０がヘッド本体１０の外側に露出していないため、このような効果が得られる。
【００３１】
また、ヘッド本体の外側に磁石を固定する構造では、ヘッド本体の外側に第１部材３０と第２部材４０の両方を許容する大きさの凹みを設ける必要があるため、重量調整用部材の大きさに対して凹み部を大きくする必要がある。そのため、ゴルフクラブヘッドでゴルフボールをインパクトした際の応力が凹み部に集中する懸念があった。ヘッド本体内部に磁石を設けた場合、従来技術に比べてヘッド本体外部の重量調整用部材の大きさに対して凹みを小さくでき、ヘッド本体への応力集中を防止し、強度低下を防ぐことができる。
【００３２】
また、ヘッド本体自身を磁性体とする構造と比べると、ヘッド本体が磁性体でなくても部材の装着が可能である。
【００３３】
なお、図２の例では、重量調整用部材である第２部材４０をヘッド本体１０のソール部１３のバック側に配置しているため、ヘッド重心が深くなることで、インパクト時のロフト角が大きくなり、打球の打ち出し角度が大きくなる。
【００３４】
〈第１の実施の形態の変形例〉
第１の実施の形態の変形例では、第１の実施の形態とは異なる位置に重量調整用部材である第２部材４０を配置する例を示す。なお、第１の実施の形態の変形例において、既に説明した実施の形態と同一構成部についての説明は省略する場合がある。
【００３５】
図３は、第１の実施の形態の変形例に係る重量調整用部材の取付位置を例示する図であり、図３（ａ）は底面図、図３（ｂ）及び図３（ｃ）は左側面図である。
【００３６】
図３（ａ）に示すように、第２部材４０をヘッド本体１０のソール部１３のバック側の２カ所に配置してもよい。この場合、ヘッド本体１０を左右方向（トウ−ヒール方向）に加重することで慣性モーメントが向上するため、打球が曲がりづらくなる。なお、第２部材４０をヘッド本体１０の３箇所以上に設けてもよい。
【００３７】
図３（ｂ）に示すように、第２部材４０をヘッド本体１０のソール部１３のバック側からヘッド本体１０の接地する領域を除くソール部１３の近傍にかけて配置してもよい。この場合、ヘッド本体１０の接地する領域には第２部材４０が存在しないため、ダフリの影響を受け難くすることができる。
【００３８】
図３（ｃ）に示すように、第２部材４０をヘッド本体１０のソール部１３のバック側からクラウン部１２のバック側にかけて配置してもよい。この場合、重心高さを大きく変えることなく、重心深さを変更することができる。
【００３９】
〈第２の実施の形態〉
第２の実施の形態では、第２部材がヘッド本体の外面から外部に突起しない例を示す。なお、第２の実施の形態において、既に説明した実施の形態と同一構成部についての説明は省略する場合がある。
【００４０】
図４は、第２の実施の形態に係る重量調整用部材の取付構造を例示する図であり、図４（ａ）は底面図、図４（ｂ）は図４（ａ）のＢ−Ｂ線に沿う部分拡大断面図である。
【００４１】
図４を参照するに、第２の実施の形態では、ヘッド本体１０のソール部１３に第１部材３０及び第２部材４５が設けられている。
【００４２】
第１部材３０は、ヘッド本体１０の内面１０ａ側に形成された凹部１０ｄ内に固定されている。第１部材３０は、例えば、接着剤、圧入、かしめ、溶接等の方法によりヘッド本体１０に固定してもよいし、その他の方法によりヘッド本体１０に固定してもよい。第１部材３０の平面形状は、例えば楕円形であるが、円形や矩形等の適宜な形状とすることができる。
【００４３】
第２部材４５は、ヘッド本体１０を挟んで第１部材３０と対向するヘッド本体１０の外面１０ｂ側に形成された凹部１０ｅ内に、第１部材３０の磁力により着脱可能な状態で吸着されている。第２部材４５の平面形状は、例えば楕円形であるが、円形や矩形等の適宜な形状とすることができる。
【００４４】
第２部材４５は、ゴルフクラブヘッド１の重量を調整する重量調整用部材である。第２部材４５の重さは、例えば、２ｇ以上２０ｇ以下である。第２部材４５は、複数種類の重さを用意することができる。なお、第２部材４５は、ヘッドの装飾性を高めるための銘板と兼用しても構わない。
【００４５】
ヘッド本体１０の外面１０ｂの法線方向から視たときの大きさは、第２部材４５の方が第１部材３０よりも大きくても小さくても構わないが、第２部材４５の方を大きくすることにより、重量配分の調整範囲を容易に増やすことができる。
【００４６】
なお、第１部材３０と第２部材４５との間にはヘッド本体１０が介在しているため、第２部材４５が第１部材３０と接触することはない。
【００４７】
第２部材４５としては、磁石または磁性体を用いることができる。第２部材４５が磁石である場合は、例えば、サマリウムコバルト磁石やネオジウム磁石等を用いることができる。第２部材４５が磁性体である場合は、例えば、鉄、ニッケル、コバルト等を用いることができる。
【００４８】
図４の例では、第２部材４５の外面が、ヘッド本体１０の外面１０ｂと面一であるか、またはヘッド本体１０の外面１０ｂより窪んだ位置となるように、第２部材４５が第１部材３０に吸着されている。そのため、第１部材３０及び第２部材４５はソール部１３に配置することも可能である。
【００４９】
なお、第２部材４５の凹部１０ｅ内への着脱を容易にするため、第２部材４５の外壁面と凹部１０ｅの内壁面との間に適宜な隙間を設けることが好ましい。また、第２部材４５の凹部１０ｅ内への着脱を容易にするため、第２部材４５の凹部１０ｅ側に環状の切り欠き部４５ｘを設けてもよい。
【００５０】
このように、第２の実施の形態では、第２部材４５が第１部材３０に吸着される際に、第２部材４５の外面が、ヘッド本体１０の外面１０ｂと面一であるか、またはヘッド本体１０の外面１０ｂより窪んだ位置となるようにしている。
【００５１】
これにより、ソール部１３に配置してもダフリの影響を受けないため、第１部材３０及び第２部材４５は、ヘッド本体１０においてフェース部１１と接触しない位置であれば、ソール部１３も含めた任意の位置に配置することができる。
【００５２】
また、第２部材４５がソール部１３に配置されることにより、ヘッド本体１０の重心が低くなる。その結果、打球の打ち出し角度が大きくなり、かつバックスピン量を減らすことができる。
【００５３】
なお、第２の実施の形態に係る重量調整用部材の取付構造を第１の実施の形態及び変形例で示した位置に適用することも可能である。
【００５４】
〈第３の実施の形態〉
第３の実施の形態では、ヘッド本体に部分的に設けられた樹脂部に第２部材を配置する例を示す。なお、第３の実施の形態において、既に説明した実施の形態と同一構成部についての説明は省略する場合がある。
【００５５】
図５は、第３の実施の形態に係る重量調整用部材の取付構造を例示する図であり、図５（ａ）は底面図、図５（ｂ）は図５（ａ）のＣ−Ｃ線に沿う部分拡大断面図である。
【００５６】
図５を参照するに、第３の実施の形態では、ヘッド本体１０のソール部１３のバック側に部分的に設けられた樹脂部１０ｒに第１部材３０及び第２部材４０が設けられている。樹脂部１０ｒは、例えば、炭素繊維強化プラスチック（ＣＦＲＰ）、ガラス繊維強化プラスチック（ＧＦＲＰ）、ポリカーボネート等である。
【００５７】
プレート状の樹脂部中に、従来のようにねじ止めで部材を取り付けようとすると、樹脂部に穿孔することによる強化繊維の損傷、割れ、強度低下などの問題があった。本実施の形態では、樹脂部１０ｒに接着剤５０により磁石である第１部材３０を固定しているため、穿孔等により樹脂部１０ｒを傷つけることがなく、樹脂部１０ｒの強度低下を防止しつつ重量調整をすることができる。
【００５８】
なお、第３の実施の形態に係る重量調整用部材の取付構造を第１の実施の形態及び変形例で示した位置に適用することも可能である。
【００５９】
〈第４の実施の形態〉
第４の実施の形態では、第１部材の方が第２部材よりも大きい例を示す。なお、第４の実施の形態において、既に説明した実施の形態と同一構成部についての説明は省略する場合がある。
【００６０】
図６は、第４の実施の形態に係る重量調整用部材の取付構造を例示する図であり、図６（ａ）は底面図、図６（ｂ）は図６（ａ）のＤ−Ｄ線に沿う部分拡大断面図である。また、図６（ｃ）及び図６（ｄ）は、重量調整用部材の取付位置の変形例である。
【００６１】
図６を参照するに、第４の実施の形態では、ヘッド本体１０のソール部１３のバック側に第１部材３０及び第２部材４０が設けられている。但し、ヘッド本体１０の外面１０ｂの法線方向から視たときに、第１部材３０のトウ−ヒール方向の大きさが第２部材４０のトウ−ヒール方向の大きさよりも大きい。
【００６２】
これにより、第２部材４０を図６（ｂ）〜図６（ｄ）に示すような複数の位置に着脱することができる。すなわち、図６（ｂ）のように第１部材３０が配置された領域のヒール側や、図６（ｃ）のように第１部材３０が配置された領域の中央側や、図６（ｄ）のように第１部材３０が配置された領域のトウ側に、第２部材４０を着脱することができる。その結果、トウ−ヒール方向の重量配分の調整が容易となる。
【００６３】
なお、ヘッド本体１０の外面１０ｂの法線方向から視たときに、第１部材３０のトウ−ヒール方向の大きさの方が第２部材４０のトウ−ヒール方向の大きさよりも大きいとしたのは一例である。例えば、ヘッド本体１０の外面１０ｂの法線方向から視たときに、第１部材３０のフェース−バック方向の大きさを第２部材４０のフェース−バック方向の大きさより大きくしてもよい。また、トウ−ヒール方向及びフェース−バック方向の両方において、第１部材３０の方を第２部材４０より大きくしてもよい。
【００６４】
なお、第４の実施の形態に係る重量調整用部材の取付構造を第１の実施の形態及び変形例で示した位置に適用することも可能である。
【００６５】
また、図４や図５に示した重量調整用部材の取付構造の場合にも、図６の場合と同様に、第１部材３０のトウ−ヒール方向やフェース−バック方向の大きさを第２部材４０や第２部材４５のトウ−ヒール方向やフェース−バック方向の大きさより大きくしてもよい。
【００６６】
〈第５の実施の形態〉
第５の実施の形態では、第２部材の方が第１部材よりも大きく、第２部材が複数の厚さである例を示す。なお、第５の実施の形態において、既に説明した実施の形態と同一構成部についての説明は省略する場合がある。
【００６７】
図７は、第５の実施の形態に係る重量調整用部材の取付構造を例示する部分拡大断面図である。第５の実施の形態に係る重量調整用部材の取付構造は、例えば、図４と同様にソール部１３に設けることができるが、図２や図３に示す位置に設けてもよい。
【００６８】
図７の構造において、第１部材３０の重量を小さくすることで、その分、第２部材４５、４６、及び４７の重量を重くできる。すなわち、ヘッド本体１０全体の重量は設計上一定であるため、第１部材３０の占める重量を減らすと、代わりに４５、４６、及び４７の重量を重くできる。
【００６９】
これにより、第２部材の重量調整幅が大きく、設計自由度を高くすることができる。例えば、図７（ｂ）に示す第２部材４６のように、図７（ａ）に示す第２部材４５と同じ厚さで大きさを大きくすることができる。また、図７（ｃ）に示す第２部材４７のように、図７（ｂ）に示す第２部材４７と同じ大きさで厚さを薄くすることができる。
【００７０】
なお、図２に示す重量調整用部材の取付構造の場合にも、大きさや厚さの異なる第２部材４０を用いることができる。
【００７１】
〈第６の実施の形態〉
第６の実施の形態では、円形である第２部材に回転防止構造を設ける例を示す。なお、第６の実施の形態において、既に説明した実施の形態と同一構成部についての説明は省略する場合がある。
【００７２】
図８は、第６の実施の形態に係る重量調整用部材の取付構造を例示する図であり、図８（ａ）は底面図、図８（ｂ）は図８（ａ）のＥ−Ｅ線に沿う部分拡大断面図である。
【００７３】
図８を参照するに、第６の実施の形態では、ヘッド本体１０のソール部１３に第１部材３０及び第２部材４５が設けられている。ヘッド本体１０の外面１０ｂの法線方向から視たときに、第２部材４５の形状は円形である。また、第２部材４５の凹部１０ｅと対向する側の面において、中心からオフセットした位置に円錐状の凸部４５ｔが設けられている。凸部４５ｔは、凹部１０ｅの底面に設けられた円錐状の有底孔である凹部１０ｆと嵌合し、回転防止構造を実現している。
【００７４】
このように、凸部４５ｔが凹部１０ｆと嵌合して第２部材４５の回転を防止することで、ゴルフクラブヘッド１の使用中に回転方向の力によって第２部材４５が脱落することを防止できる。
【００７５】
なお、第２部材の回転防止構造は、図８の形態には限定されず、例えば、図９の形態であってもよい。
【００７６】
図９は、第６の実施の形態の変形例に係る重量調整用部材の取付構造を例示する図であり、図９（ａ）は底面図、図９（ｂ）は図９（ａ）のＦ−Ｆ線に沿う部分拡大断面図である。
【００７７】
図９を参照するに、第２部材４５の凹部１０ｅと対向する側の面において、例えば中心を通るように直線状の凸部４５ｗが設けられている。凸部４５ｗは、凹部１０ｅの底面に設けられた直線状の溝である凹部１０ｇと嵌合し、回転防止構造を実現している。
【００７８】
このように、回転防止構造として、直線状の凸部４５ｗ及び凹部１０ｇを設けてもよい。この場合も、凸部４５ｗが凹部１０ｇと嵌合して第２部材４５の回転を防止することで、ゴルフクラブヘッド１の使用中に回転方向の力によって第２部材４５が脱落することを防止できる。
【００７９】
なお、直線状の凸部４５ｗ及び凹部１０ｇに代えて、互いに嵌合する十字状の凸部及び凹部や、互いに嵌合する他の形状の凸部及び凹部を設けてもよい。
【００８０】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００８１】
１  ゴルフクラブヘッド
１０  ヘッド本体
１０ａ  内面
１０ｂ  外面
１０ｃ、１０ｄ、１０ｅ、１０ｆ、１０ｇ  凹部
１０ｒ  樹脂部
１１  フェース部
１１ｆ  フェース面
１２  クラウン部
１３  ソール部
１４  サイド部
２０  ホゼル部
３０  第１部材
４０、４５、４６、４７  第２部材
４５ｔ、４５ｗ  凸部
４５ｘ  切り欠き部
５０  接着剤
【図１】
2019217161.tif 000003
【図２】
2019217161.tif 000004
【図３】
2019217161.tif 000005
【図４】
2019217161.tif 000006
【図５】
2019217161.tif 000007
【図６】
2019217161.tif 000008
【図７】
2019217161.tif 000009
【図８】
2019217161.tif 000010
【図９】
2019217161.tif 000011